(57)【特許請求の範囲】
【請求項１】
内箱(18)の外側に一対のサイドパネル(26,26)、ボトムパネル(27)およびリアパネル(28)を配設すると共に、内箱(18)とサイドパネル(26,26)、ボトムパネル(27)およびリアパネル(28)との間に画成された空間に断熱材(30)を充填することで構成された箱本体(10)の上部に天板(14)が外嵌される断熱箱体において、
前記内箱(18)における少なくとも側壁(20)外側に配設される各サイドパネル(26)に、該サイドパネル(26)の上端縁部から内側に向けて直角に折曲された水平部(46a)と、該水平部(46a)の開放端縁部から上方に向けて直角に折曲された垂直部(46b)とからなる当接部(46)が形成されると共に、該当接部(46)における垂直部(46b)の上端縁部から内側に向けて直角に折曲されたフランジ部(48)が形成され、
前記各側壁(20)における上端縁部の全長に亘って外側に向けて直角に折曲形成した側折曲部(42)の開放端縁部に、該開放端縁部から垂下する第１垂直部(44a)と、該第１垂直部(44a)の下端から外側に向けて直角に折曲された水平部(44b)と、該水平部(44b)の開放端縁部から直角に折曲されて垂下する第２垂直部(44c)とから前記当接部(46)に対応する形状とされた受部(44)が形成され、
前記サイドパネル(26)の内面に対して前記受部(44)の第２垂直部(44c)を当接し、当接部(46)の水平部(46a)に対して前記受部(44)の水平部(44b)を当接し、当接部(46)の垂直部(46b)に対して受部(44)の第１垂直部(44a)を当接すると共に、サイドパネル(26)のフランジ部(48)に対して側壁(20)の側折曲部(42)を当接した状態で側壁(20)にサイドパネル(26)が配設され、
前記サイドパネル(26)における当接部(46)の外側には、前記箱本体(10)の上部に天板(14)を外嵌した際に、該天板(14)の外周囲から垂下する嵌合部(14a)がサイドパネル(26)の外面から突出しないよう収容する段部(50)を設け、
前記内箱(18)の後壁(24)の上端縁部に、外側に向けて直角に折曲された後折曲部(52)と、該後折曲部(52)の開放端縁部から垂下するフランジ部(54)が形成され、
前記内箱(18)の後壁(24)に配設されるリアパネル(26)を、内面が前記フランジ部(54)の外面に当接するように設けると共に、
一対の前記サイドパネル(26,26)間に架設された状態で、前記内箱(18)の底壁(22)に配設されるボトムパネル(27)の前端縁に、上方に延出する前当接部(60)が形成され、
前記底壁(22)における前端縁に、下方に延出して前記当接部(60)の前面に当接する前受部(62)が形成され、
前記前受部(62)の裏側における底壁(22)の前部下面には、前当接部(60)の上端が位置決め嵌入される位置決め凹部(64a)が形成された位置決め部材(64)が左右両端部近傍に夫々配設されている
ことを特徴とする断熱箱体の組付け構造。
【発明の詳細な説明】
【０００１】
【発明の属する技術分野】
この発明は、内箱の外側に複数のパネルを配設すると共に、その間に画成された空間に断熱材を充填して構成した箱本体の上部に天板を外嵌した断熱箱体の組付け構造に関するものである。
【０００２】
【従来の技術】
所要形状の氷塊を自動的に製造する自動製氷機は、図８〜図１０に示す如く、前方および上方に開放する箱本体１０と、該箱本体１０の前部に開閉可能に配設される扉１２と、箱本体１０の上部に着脱可能に配設される天板１４とから構成される断熱箱体１６を備える。前記箱本体１０は、前方および上方に開放する箱形に形成されて氷塊が貯留される内箱としてのストッカ１８の両側壁２０,２０、底壁２２および後壁２４の各外側に、サイドパネル２６,２６、ボトムパネル(図示せず)およびリアパネル２８を配設すると共に、各壁２０,２０,２２,２４と各パネル２６,２６,２８との間に画成される空間に断熱材３０を充填発泡することで断熱構造に構成されている。
【０００３】
前記各側壁２０および後壁２４の上端縁部には、図９または図１０に示す如く、外側に向けて直角に折曲されたフランジ２０ａ,２４ａが形成され、これらフランジ２０ａ,２４ａの開放端縁部にサイドパネル２６やリアパネル２８の内面が当接した状態で両パネル２６,２８をストッカ１８に配設することで、前記空間を画成するようになっている。
【０００４】
【発明が解決しようとする課題】
前述したようにストッカ１８の側壁２０あるいは後壁２４に形成したフランジ２０ａ,２４ａの端縁部に、対応するサイドパネル２６またはリアパネル２８を当接している構成では、壁２０,２４とパネル２６,２８との間の空間に断熱材３０を充填したときの発泡圧で、両者の接合部に隙間を生じて発泡漏れを生ずる難点があった。そのため従来は、断熱材３０を充填する前工程において、ストッカ１８と各パネル２６,２６,２８との接合部に目貼り処理を施す必要があり、その工程が煩雑で時間が掛かる問題となっている。また、目貼り処理が不充分であると発泡漏れを生じ、その後処理に更に工程数が掛かると共に不衛生となる難点も指摘される。
【０００５】
更に、前記箱本体１０の上部に配設される天板１４は、下方に開放する箱状に形成されて、該箱本体１０に外嵌されている。このため、図９に示す如く、天板１４の外周囲に垂下する嵌合部１４ａがサイドパネル２６の外側に突出することとなる。このため、断熱箱体１６(自動製氷機)の最大幅寸法が大きくなると共に、該断熱箱体１６の側面を他の厨房機器や壁等に密着させることができず、スペースの有効利用が図れない難点が指摘される。
【０００６】
【発明の目的】
本発明は、前述した従来の技術に内在している前記欠点に鑑み、これを好適に解決するべく提案されたものであって、発泡漏れを防止すると共に工程数を低減し、併せて設置スペースを小さく得る断熱箱体の組付け構造を提供することを目的とする。
【０００７】
【課題を解決するための手段】
前記課題を克服し、所期の目的を好適に達成するため、本発明に係る断熱箱体の組付け構造は、
内箱の外側に一対のサイドパネル、ボトムパネルおよびリアパネルを配設すると共に、内箱とサイドパネル、ボトムパネルおよびリアパネルとの間に画成された空間に断熱材を充填することで構成された箱本体の上部に天板が外嵌される断熱箱体において、
前記内箱における少なくとも側壁外側に配設される各サイドパネルに、該サイドパネルの上端縁部から内側に向けて直角に折曲された水平部と、該水平部の開放端縁部から上方に向けて直角に折曲された垂直部とからなる当接部が形成されると共に、該当接部における垂直部の上端縁部から内側に向けて直角に折曲されたフランジ部が形成され、
前記各側壁における上端縁部の全長に亘って外側に向けて直角に折曲形成した側折曲部の開放端縁部に、該開放端縁部から垂下する第１垂直部と、該第１垂直部の下端から外側に向けて直角に折曲された水平部と、該水平部の開放端縁部から直角に折曲されて垂下する第２垂直部とから前記当接部に対応する形状とされた受部が形成され、
前記サイドパネルの内面に対して前記受部の第２垂直部を当接し、当接部の水平部に対して前記受部の水平部を当接し、当接部の垂直部に対して受部の第１垂直部を当接すると共に、サイドパネルのフランジ部に対して側壁の側折曲部を当接した状態で側壁にサイドパネルが配設され、
前記サイドパネルにおける当接部の外側には、前記箱本体の上部に天板を外嵌した際に、該天板の外周囲から垂下する嵌合部がサイドパネルの外面から突出しないよう収容する段部を設け、
前記内箱の後壁の上端縁部に、外側に向けて直角に折曲された後折曲部と、該後折曲部の開放端縁部から垂下するフランジ部が形成され、
前記内箱の後壁に配設されるリアパネルを、内面が前記フランジ部の外面に当接するように設けると共に、
一対の前記サイドパネル間に架設された状態で、前記内箱の底壁に配設されるボトムパネルの前端縁に、上方に延出する前当接部が形成され、
前記底壁における前端縁に、下方に延出して前記当接部の前面に当接する前受部が形成され、
前記前受部の裏側における底壁の前部下面には、前当接部の上端が位置決め嵌入される位置決め凹部が形成された位置決め部材が左右両端部近傍に夫々配設されていることを特徴とする。
【０００８】
【発明の実施の形態】
次に、本発明に係る断熱箱体の組付け構造につき、好適な実施例を挙げて、添付図面を参照しながら以下説明する。なお、図８〜図１０を参照して説明した従来の技術に既出の同一部材には、同じ符号を付して示すこととする。
【０００９】
図２に示す如く、実施例の断熱箱体１６は、例えば自動製氷機に用いられるものであって、前方および上方に開放する箱本体１０の前部に、該箱本体１０の氷取出口３２を開閉する外扉３４が回動可能に配設されると共に、箱本体１０の上部には天板１４が着脱可能に配設される。この天板１４は、下方に開放する箱状に形成され、その外周囲において垂下する嵌合部１４ａを箱本体１０の上部に外嵌することで取付けられるようになっている(図１参照)。なお、箱本体１０の頂部に水平に配置した取付枠に懸吊した製氷ユニット(何れも図示せず)が、箱本体内部上方に臨むと共に、該製氷ユニットの下方に排水皿３６が配設してある。
【００１０】
前記箱本体１０は、図３に示すように前方および上方に開放する箱形に形成されたストッカ１８と、該ストッカ１８の両側壁２０,２０、底壁２２、後壁２４の各外部に配設されたサイドパネル２６,２６、ボトムパネル２７、リアパネル２８および各壁２０,２０,２２,２４と各パネル２６,２６,２７,２８との間に画成される空間に充填された発泡ウレタン等の断熱材３０から構成される(図７参照)。また前記ストッカ１８の内部には、前記外扉３４の回動に追従して回動して前記氷取出口３２を開閉する内扉３８が配設されている。この内扉３８は、図５に示す如く、その左右両外側面に突設された軸部３８ａ,３８ａを、ストッカ１８の側壁２０,２０に凹設した支持部４０,４０に回動可能に係合することにより、該内扉３８はストッカ１８に対して回動可能に枢支される。
【００１１】
前記ストッカ１８の各側壁２０には、図１,図３および図４に示す如く、その上端縁部の全長に亘って、外側に向けて直角に折曲された側折曲部４２が形成されると共に、該側折曲部４２の開放端縁部には、その全長に亘って階段状の受部４４が垂設されている。この受部４４は、側折曲部４２の開放端縁部から垂下する第１垂直部４４ａと、この第１垂直部４４ａの下端から外側に向けて直角に折曲された水平部４４ｂおよび水平部４４ｂの開放端縁部から直角に折曲されて垂下する第２垂直部４４ｃとから構成される。これに対して前記各サイドパネル２６の上端縁部には、側壁２０の受部４４に対応してその外面に当接可能な形状の当接部４６が全長に亘って形成されている。すなわち当接部４６は、サイドパネル２６の上端縁部から内側(断熱材３０が充填される空間側)に向けて直角に折曲された水平部４６ａ、および該水平部４６ａの開放端縁部から上方に向けて直角に折曲された垂直部４６ｂとから構成され、当接部４６における水平部４６ａおよび垂直部４６ｂの内面が、受部４４における水平部４４ｂおよび第１垂直部４４ａの外面に当接するよう構成されている。また、当接部４６における垂直部４６ｂの内面が受部４４における第１垂直部４４ａの外面に当接した状態で、該当接部４６の水平部４６ａより下方に延在するサイドパネル２６の内面が、受部４４における第２垂直部４４ｃの外面に当接するよう設定されている。
【００１２】
前記サイドパネル２６における当接部４６の上端縁部(垂直部４６ｂの上端縁部)には、内側に向けて直角に折曲されたフランジ部４８が形成され、当接部４６における水平部４６ａの内面(下面)が受部４４における水平部４４ｂの外面(上面)に当接した状態で、サイドパネル２６におけるフランジ部４８の内面(下面)が側壁２０における側折曲部４２の外面(上面)に当接するよう設定してある。すなわち、側壁２０にサイドパネル２６を配設した際には、側壁２０の側折曲部４２と受部４４に対し、サイドパネル２６のフランジ部４８、当接部４６およびパネル自体が当接し、両者２０,２６の接触面積が多くなって断熱材３０の充填発泡の際に、その接合部から発泡漏れを生ずるのを確実に防止することができるよう構成される。
【００１３】
前記当接部４６の外側には、その水平部４６ａと垂直部４６ｂとで画成される段部５０が設けられ、この段部５０に前記天板１４における嵌合部１４ａが嵌まり込むよう構成される。この段部５０の幅、すなわちサイドパネル２６における外面と当接部４６における垂直部４６ｂの外面との離間幅は、天板１４における嵌合部１４ａの厚み寸法と略同一に設定されており、前記箱本体１０の上部に天板１４を外嵌した際に、図１に示す如く、天板１４の嵌合部１４ａが段部５０に収容されてサイドパネル２６の外面から外方に突出しないよう構成される。なお、天板１４における嵌合部１４ａの長さは、天板１４の内面が前記フランジ部４８の外面(上面)に当接した状態で、該嵌合部１４ａの下端が前記水平部４６ａの上面に当接し、嵌合部１４ａとサイドパネル２６との嵌合部位に隙間が生じないようになっている。
【００１４】
前記ストッカ１８の後壁２４には、図６および図７に示す如く、その上端縁部に、外側に向けて直角に折曲された後折曲部５２が形成されると共に、該後折曲部５２の開放端縁部には、フランジ部５４が所定長さで垂設されている。そして、後壁２４にリアパネル２８を配設した際には、フランジ部５４の外面にリアパネル２８の内面が当接して接触面積が多くなり、断熱材３０の充填発泡の際に、その接合部において発泡漏れを生ずるのを確実に防止することができるようになっている。なお、実施例の箱本体１０では、図４に示す如く、後壁２４の上端縁部に、前記製氷ユニットから導出するリード線や冷媒管を外部に引出すための凹部５６が上方および内外方向に開放するよう形成されている。そして、この凹部５６の外側端縁部にもリアパネル２８に広範囲で当接するフランジ部５８が形成され、この部分においての発泡漏れも防止し得るよう構成してある。
【００１５】
前記ストッカ１８の底壁２２に配設されるボトムパネル２７は、前記一対のサイドパネル２６,２６間に架設されており、このボトムパネル２７上にストッカ１８が載置される状態で配設されるようになっている。このボトムパネル２７は、図７に示す如く、縦断側面において上方に開放する略コ字状に形成され、その前端縁において上方に延出する前当接部６０が、ストッカ１８の底壁２２における前端縁において下方に延出する前受部６２の後側面に当接した状態で、両者６０,６２がネジ止めされるよう構成される。また、前受部６２の裏側における底壁２２の前部下面には、左右両端部近傍に位置決め部材６４が夫々配設され、各位置決め部材６４には、ボトムパネル２７における前当接部６０の上端が位置決め嵌入される位置決め凹部６４ａが形成されており、底壁２２に対してボトムパネル２７を容易に位置決めし得るようにしてある。
【００１６】
【実施例の作用】
次に、実施例に係る断熱箱体の組付け構造の作用につき、以下説明する。前記箱本体１０の組立てに際し、前記一対のサイドパネル２６,２６の間に架設したボトムパネル２７に対し、両サイドパネル２６,２６の間に上方から挿入した前記ストッカ１８を載置する。このとき、ボトムパネル２７における前当接部６０の上端が、図７に示す如く、ストッカ１８に配設された位置決め部材６４の位置決め凹部６４ａに嵌挿されることで、該ストッカ１８の底壁２２に対してボトムパネル２７が正しく位置決めされる。従って、底壁２２に対してボトムパネル２７を容易にネジ止めすることができる。またボトムパネル２７の前当接部６０が位置決め部材６４の位置決め凹部６４ａに嵌挿されることで、両者２２,２７の接合部でのシール性も向上する。
【００１７】
また図１に示す如く、各サイドパネル２６の上端縁部に形成した当接部４６が、ストッカ１８における側壁２０の上端縁部に形成した受部４４に当接し、両者４４,４６の上端縁部における接合部での高いシール性が確保される。しかもこの接合部での位置決めが正確に行なわれるから、両者２０,２６を容易にネジ止めすることができる。更に、図６に示す如く、ストッカ１８の後壁２４に対してリアパネル２８が位置決めされてネジ止めされる。このとき、後壁２４のフラジ部５４にリアパネル２８が当接することで高いシール性が確保される。
【００１８】
前述したようにストッカ１８の各壁２０,２０,２２,２４の外側に、各パネル２６,２６,２７,２８を配設した後、各壁２０,２０,２２,２４と各パネル２６,２６,２７,２８との間に画成される空間に断熱材３０を充填発泡することで、断熱構造の箱本体１０が得られる。このとき、各側壁２０とサイドパネル２６との上側の接合部および後壁２４とリアパネル２８の上側の接合部でのシール性は何れも向上しているから、前記空間に充填される断熱材３０がその接合部から漏れるのは確実に防止される。すなわち、側壁２０や後壁２４に対するサイドパネル２６やリアパネル２８の接合部に、別途目貼り処理を施す必要もなく、作業工程数を低減して組立て時間を短縮することができる。また接合部のシール性は安定しているから、発泡漏れの後処理が不要で、工程数の更なる削減を図り得ると共に衛生的となる。更に、側壁２０とサイドパネル２６および後壁２４とリアパネル２８とが面接触するので、箱本体１０の強度も向上する。
【００１９】
そして、前記箱本体１０の上部に天板１４を外嵌すると共に、前記外扉３４や内扉３８等を対応する部位に取付けることで断熱箱体１６が構成される。前記各サイドパネル２６の上端縁部には、前記当接部４６の外側に段部５０が形成されており、図１に示すように天板１４の嵌合部１４ａが該段部５０に嵌まり込むことで、その外面はサイドパネル２６の外面と略同一となる。従って、断熱箱体１６の左右幅寸法が小さくなると共に、断熱箱体１６を他の厨房機器や壁面に密着して設置することができ、スペースの有効利用を図り得る。
【００２０】
なお、前記内扉３８を箱本体１０に配設するために前記側壁２０,２０に形成される前記支持部４０,４０は、図５に示すように庫内に開放される凹状に形成されているから、該内扉３８の取付け部において前記断熱材３０が庫内に露出することはなく、該断熱材３０の劣化を防止し得ると共に衛生的となる。
【００２１】
前述した実施例では、断熱箱体を自動製氷機に使用する場合で説明したが、本願はこれに限定されるものでなく、例えば冷蔵庫や冷凍庫等を構成する断熱箱体であってもよい。また、後壁とリアパネルとの接合部の構成を、実施例に示す側壁とサイドパネルとの接合部(受部と当接部)の構成と同一にしてもよい。更に、実施例では両側壁と両サイドパネルとの夫々に受部と当接部とを設けたが、一方の側壁とサイドパネルのみに採用することができる。更にまた、実施例ではサイドパネル、リアパネルおよびボトムパネルが別体で構成された場合で説明したが、これらパネルが一体で構成されているものであってもよい。
【００２２】
【発明の効果】
以上説明した如く、本発明に係る断熱箱体の組付け構造では、内箱における側壁の上端縁部に形成した受部に、サイドパネルの上端縁部に形成した当接部を当接する状態で該側壁にサイドパネルを配設するよう構成したから、その接合部でのシール性が向上し、断熱材の発泡漏れを防止することができる。すなわち、側壁に対するサイドパネルの接合部に、別途目貼り処理を施す必要もなく、作業工程数を低減して組立て時間を短縮し得る利点を有する。また、接合部のシール性は安定しているから、発泡漏れの後処理が不要で、工程数の更なる削減を図り得ると共に衛生的となる。また、前受部の裏面の底壁の前面下部に配設される位置決め部材には、前当接部の上端が位置決め嵌入される位置決め凹部が形成される構成であるから、底壁に対してボトムパネルを容易に位置決めし得る。
【００２３】
更に、箱本体の上部に外嵌した天板の嵌合部は、サイドパネルにおける当接部の外側に設けた段部に収容されてパネル外面から突出しないよう構成したので、、断熱箱体の最大幅寸法を小さくし得ると共に、該断熱箱体を他の機器や壁面に密着して設置することができ、スペースの有効利用を図ることができる。
【図面の簡単な説明】
【図１】  本発明の好適な実施例に係る断熱箱体の要部を示す縦断正面図である。
【図２】  実施例に係る断熱箱体が採用される自動製氷機の概略斜視図である。
【図３】  実施例に係るストッカの正面図である。
【図４】  実施例に係るストッカの背面図である。
【図５】  実施例に係るストッカの平面図である。
【図６】  実施例に係る箱本体の要部を示す縦断側面図である。
【図７】  実施例に係る箱本体の縦断側面図である。
【図８】  従来の技術に係る断熱箱体を構成する箱本体の概略平面図である。
【図９】  従来の技術に係る断熱箱体の要部を示す縦断正面図である。
【図１０】  従来の技術に係る断熱箱体の要部を示す縦断側面図である。
【符号の説明】
１０ 箱本体，１４ 天板，１４ａ 嵌合部，１８ ストッカ(内箱)
２０ 側壁  ２６ サイドパネル，２７ ボトムパネル，２８ リアパネル
３０ 断熱材，４４ 受部，４６ 当接部，５０ 段部
【図１】
0003962593.tif 000002
【図２】
0003962593.tif 000003
【図３】
0003962593.tif 000004
【図４】
0003962593.tif 000005
【図５】
0003962593.tif 000006
【図６】
0003962593.tif 000007
【図７】
0003962593.tif 000008
【図８】
0003962593.tif 000009
【図９】
0003962593.tif 000010
【図１０】
0003962593.tif 000011